(57)【要約】      （修正有）【課題】完全に伝統的なスイッチに取って代わるリモート制御可能なマイクロプロセッサ制御による照明スイッチを提供する。【解決手段】空きスロット２１を有する化粧パネル２、上筐体と下筐体と電子回路構造とを有し、タッチ機能、通信機能とインテリジェント操作機能を果たす操作核心部３を備えてなり、前記操作核心部の表面にはタッチスイッチ３４、それと対向した他面には、電池を入れるための切込み部が設けられ、前記操作核心部周辺の対向した両側には、異なる形状に対応した留め金２２とアンカーポイントがあり、前記化粧パネルと組み合わせるための表面を有する制御基部４を備えてなり、前記表面には前記操作核心部を嵌め入れるための収納スロット４２、前記表面の背面にはリレーと銅端子からなる組合せ構造を有する台座が設けられることを特徴とする完全に伝統的なスイッチに取って代わるリモート制御可能なマイクロプロセッサ制御によるもの。【選択図】図２
0003224411.tif 000002
【実用新案登録請求の範囲】
【請求項１】
空きスロットを有する化粧パネル、
上筐体と、下筐体と、電子回路構造とを有し、タッチ機能、通信機能とインテリジェント操作機能を果たす操作核心部を備えてなり、前記操作核心部の表面にはタッチスイッチ、それと対向した他面には、電池を入れるための切込み部が設けられ、前記操作核心部周辺の対向した両側には、異なる形状に対応した留め金とアンカーポイントがあり、
前記化粧パネルと組み合わせるための表面を有する制御基部を備えてなり、前記表面には前記操作核心部を嵌め入れるための収納スロット、前記表面の背面にはリレーと銅端子からなる組合せ構造を有する台座が設けられることを特徴とする完全に伝統的なスイッチに取って代わるリモート制御可能なマイクロプロセッサ制御による照明スイッチ。
【請求項２】
前記電子回路構造は、タッチスイッチ回路と、LED表示灯と、マイクロチップ通信モジュールと接続端子とを備えてなることを特徴とする請求項1に記載の完全に伝統的なスイッチに取って代わるリモート制御可能なマイクロプロセッサ制御による照明スイッチ。
【請求項３】
前記操作核心部の表面には、少なくとも一本以上で、種々の形状をした線状突出部、切込み溝、又はスクリーン印刷で、複数のタッチスイッチに分けられることを特徴とする請求項1に記載の完全に伝統的なスイッチに取って代わるリモート制御可能なマイクロプロセッサ制御による照明スイッチ。
【請求項４】
前記ボタンエリアは、スクリーン印刷、線状突出部又は切込み溝で作られ、どれも、直線形、カーブ形、幾何図形又はその組合せの形をしていることを特徴とする請求項3に記載の完全に伝統的なスイッチに取って代わるリモート制御可能なマイクロプロセッサ制御による照明スイッチ。
【請求項５】
前記操作核心部の状態表示エリアには、透かし穴が設けられることを特徴とする請求項1に記載の完全に伝統的なスイッチに取って代わるリモート制御可能なマイクロプロセッサ制御による照明スイッチ。
【請求項６】
前記操作核心部周辺の対向した両側には、異なる形状に対応した留め金とアンカーポイントがあり、前記制御基部の表面にある収納スロットの対向した側縁部には、ポカヨケ仕切り設計の異なる形状に対応した、ポカヨケアンカーポイントとポカヨケ留め金が設けられることを特徴とする請求項1に記載の完全に伝統的なスイッチに取って代わるリモート制御可能なマイクロプロセッサ制御による照明スイッチ。
【請求項７】
前記台座内部には、一列に並ぶ端子台スロットと、前記端子台スロット内にどれも、銅端子止めリブが設けられ、その四周に全て、プラスチックで隔離されるように設けられることを特徴とする請求項1に記載の完全に伝統的なスイッチに取って代わるリモート制御可能なマイクロプロセッサ制御による照明スイッチ。
【請求項８】
前記リレーと銅端子からなる組合せ構造は、リレーと、PC板と、コネクタと、特殊設計された銅端子とを備えてなり、前記銅端子は、前記リレーの周囲沿いに配置され、一端が前記リレーの接点ピンに半だ付けにて接続し、他方端にネジ付きのO形環型構造をした端子台が設けられることを特徴とする請求項1に記載の完全に伝統的なスイッチに取って代わるリモート制御可能なマイクロプロセッサ制御による照明スイッチ。
【請求項９】
前記銅端子の先端には、位置決め穴が設けられることを特徴とする請求項8に記載の完全に伝統的なスイッチに取って代わるリモート制御可能なマイクロプロセッサ制御による照明スイッチ。
【請求項１０】
前記照明スイッチは、壁面用ジャックションボックス102x60x50mm、ネジの取付ピッチ83.5mm (2インチx4インチ) に適用することを特徴とする請求項1に記載の完全に伝統的なスイッチに取って代わるリモート制御可能なマイクロプロセッサ制御による照明スイッチ。
【考案の詳細な説明】
【技術分野】
【０００１】
本考案は、伝統的な壁スイッチを改良したうえに、インテリジェント制御機能を加えてなる新世代の壁スイッチに関わり、特に、伝統的なスイッチの接点と完全に相容れ、外付け電源不要、 スマートフォン又はタプレットで遠隔制御される、マイクロプロセッサー制御によるスマート照明スイッチに関する。 
【背景技術】
【０００２】
従来のスイッチは一般の家庭で、電気機器に多く用いられ、屋内外にもよく見られる壁に固定される照明スイッチが、照明器具又は電気機器のオン/オフに使用されており、そのような照明スイッチは機械式スイッチであり、金属板バネを接触点とし、通電して点灯するように設けられる。 
【０００３】
前掲したよく見られる照明スイッチは、長年間に亘り使用され、実用性を有するものだが、実際検討してみたところ、次のように、幾つか改善すべき欠点がある。 (1) 従来の照明スイッチは多く、バネ部品が内蔵され、機械式オン/オフの切替えで行なわれ、オン/オフ機能しか使えないものであり、 (2) 従来の照明スイッチは構造設計上、パネルとボタンの間にギャップがあり、そこに汚れなどが生じやすく、掃除しにくいこと、 (3) 従来の照明スイッチは、パネルとボタンの間にギャップがあるため、ユーザが濡れた手で、突出た該ボタンのパネルに触れたりして、事故や感電発生の恐れがあり、その安全性に配慮する必要があること、(4)    従来の照明スイッチは通常、パネルとボタンが決まった形状をし、堅苦しく、デザイン性もなく、新しい内装のイメージと相応しくない場合が多く、見た目が悪いこと。 
【０００４】
技術の発展に伴い、デジタル制御の照明スイッチが誕生したが、市販されるデジタル壁埋込型スイッチは、伝統的な照明スイッチに電源ケーブルが配置されないため、新しく内装されたところだけに使用可能、又は全く使用できない。最近、単線ワイヤを負荷の間に電圧降下が起こる交流回路の相位から切断して、取得された電力を供給して、動作させるように設けられたデジタルスイッチが開発されたが、省エネのLED電球の高抵抗に制限されることから、LED電球がよく点滅したり、確実に安定して動作したりしない。 
【０００５】
上述した説明をまとめると、従来の照明スイッチには種々の欠点が存在していることが分かり、デジタルスイッチは電源が原因で、あらゆる省エネのLED照明に適用できないことから、それが、いまでも、当該技術分野の分かる者が解決しようとする課題であり、本考案の考案者はそれに鑑みて、斬新なる「完全に伝統的なスイッチに取って代わるリモート制御可能なマイクロプロセッサ制御による照明スイッチ」を提供し、上述したような種々の欠点を改善し、現在のスマートフォン又はタプレットによる遠隔制御可能で、生活の快適性、利便性を向上させ、人々に幸せをもたらすよう期待される。 
【考案の概要】
【考案が解決しようとする課題】
【０００６】
本考案は、タッチ操作による照明のオン/オフを行い、前記パネルと前記タッチスイッチを一体化した設計により、汚れ発生の減少や掃除簡単であるほかに、感電などの事故を避け、安全性を高めることができる、完全に伝統的なスイッチに取って代わるリモート制御可能なマイクロプロセッサ制御による照明スイッチを提供することを一つめの目的とする。
【０００７】
本考案は、タッチ操作可能かつ、スマートフォン又はタプレットで遠隔制御可能で、一般電池による電力供給が行なわれるハイテクの低消費電力設計により、電池使用寿命が1年以上可能 (使用頻度により)となり、インテリジェントスイッチが既有照明スイッチに電源ケーブルを再配置してから、はじめて使用できるようになるという使用制限を乗り越えるように設けられる、完全に伝統的なスイッチに取って代わるリモート制御可能なマイクロプロセッサ制御による照明スイッチを提供することを二つめの目的とする。 
【０００８】
本考案は、ラッチングリレーの接点特性がスイッチの単極回路又は双極回路のスイッチに応用される設計で、市販される既有機械式スイッチや、配電困難なデジタルスイッチに完全に取り代わり用いられ、スマートデバイスの操作機能が向上し、より確実使いやすく、既有スイッチに完全に取って代わり使用され、接点が完全に相容れるように設けられる、完全に伝統的なスイッチに取って代わるリモート制御可能なマイクロプロセッサ制御による照明スイッチを提供することを三つめの目的とする。
【０００９】
本考案は、一般的なオフ/オフ操作のほかに、無償ダウンロード可能なアプリケーションで、多機能のインテリジェント操作機能、例えば、スリープモードの定時消灯、プログラマブルな省エネ定時点灯又は消灯、侵入窃盗防犯機能、部屋名の設定、休暇機能の設定などが可能、分かりやすい操作ブロック図を利用して、スマートデバイスで簡単に操作し、インテリジェントホームの制御を実現するように設けられる、完全に伝統的なスイッチに取って代わるリモート制御可能なマイクロプロセッサ制御による照明スイッチを提供することを四つめの目的とする。
【課題を解決するための手段】
【００１０】
上述した目的と効果を達成させるため、本考案の考案者より開発された、完全に伝統的なスイッチに取って代わるリモート制御可能なマイクロプロセッサ制御による照明スイッチは主に、互いに組み合わせる化粧パネルと、操作核心部と、制御基部とを備えていることを特徴とする。 
【００１１】
前記操作核心部の表面にある、一体化された突出たボタンエリアは、一個以上のタッチスイッチに分けられ、その背面には電池が設置され、両端に留め金があり、電池交換後、下筐体と簡単に嵌め込まれるように設けられ、下筐体は、ユーザが電池交換を行い、操作核心部の上下を逆にし、下筐体の切り込み部にうまく組み入られないことを避けるため、操作核心部の上下構造により、フールプループ設計の異なる仕切りに設けられ、操作核心部と下筐体のスロットを固定してから、化粧パネルを操作核心部と下筐体と張り合わせ、固定するように設けられることを特徴とする。 
【００１２】
前記操作核心部の内部には、電子回路構造が配置され、 操作核心部の上、下筐体に挟まれてなる空間に嵌め込まれるタッチスイッチ回路と、LED表示灯と、マイクロチップ通信モジュールとを備えてなり、タッチ機能、通信機能とインテリジェント操作機能を果たすように設けられることを特徴とする。
【００１３】
前記照明スイッチのボタンエリアは、種々の形状をした、一本以上の線状突出部又は切込み溝、又はスクリーン印刷で、複数のタッチスイッチのエリアに設けられるが、スクリーン印刷又は線状突出部、切込み溝はいずれも、直線形、カーブ形、幾何図形又はその組合せの形をするように設けられることを特徴とする。 
【００１４】
前記照明スイッチには、透かし穴が設けられ、LED表示灯が点灯すると、光線を発して、状態表示を行なうように設けられ、タッチ動作表示灯と、インテリジェント操作機能接続表示灯として設けられることを特徴とする。 
【００１５】
前記照明スイッチのタッチスイッチ回路は、静電容量式、抵抗膜タッチ形態に設けられることを特徴とする。 
【００１６】
前記照明スイッチには、スマートデバイス (例えば携帯電話) で接続、制御されてから、内蔵アプリケーションで表示された機能ブロック図から、実行する機能を選び、又は自動制御タイミングなどを設定し、スマートデバイスのヒューマンインターフェースの操作により、テクノロジ化によってもたらされた利便性を楽しみながら、インテリジェントホームの操作時代へと入ることを特徴とする。
【００１７】
前記照明スイッチに搭載のアプリケーションで、複数のスイッチユニット (ROOM X) を制御し、スイッチユニットを随時増減でき、干渉発生しないことを特徴とする。
【図面の簡単な説明】
【００１８】
【図１】本考案の照明スイッチの外観図である。
【図２】本考案の照明スイッチの分解図である。
【図３】本考案の照明スイッチの操作核心部の分解図である。
【図４】本考案の照明スイッチの制御基部の分解図である。
【図５】本考案の照明スイッチの制御基部の正面図である。
【図６】本考案の照明スイッチの制御基部内にあるリレーと銅端子の組合せ構造図である。
【図７】本考案の照明スイッチの組立て実施図である。
【図８】本考案の照明スイッチにおける制御基部の背面と接点のイメージである。
【図９】本考案の照明スイッチにスマートデバイスを組み合わせて使用されるアプリケーションのイメージである。
【図９（ａ）】本考案のアプリケーションの機能イメージ (1)である。
【図９（ｂ）】本考案のアプリケーションの機能イメージ (2)である。
【図９（ｃ）】本考案のアプリケーションの機能イメージ (3)である。
【図９（ｄ）】本考案のアプリケーションの機能イメージ (4)である。
【図９（ｅ）】本考案のアプリケーションの機能イメージ (5)である。
【図９（ｆ）】本考案のアプリケーションの機能イメージ (6)である。
【図９（ｇ）】本考案のアプリケーションの機能イメージ (7)である。
【考案を実施するための形態】
【００１９】
図1、図2に示すように、本考案は主に、互に組み合わせる化粧パネル (2)と、操作核心部 (3) と制御基部 (4)とを備えてなる前記照明スイッチ (1)であることを特徴とする完全に伝統的なスイッチに取って代わるリモート制御可能なマイクロプロセッサ制御による照明スイッチを提供する。 
【００２０】
図2に示すように、前記化粧パネル (2) には、前記操作核心部 (3) の一部分を組み入れ固定して、前記化粧パネル (2) に突出させるための空きスロット (21)があり、前記化粧パネル (2) にある前記空きスロット (21) の四周には、対向した内側面にやや突出された留め金 (22)があり、両者を結合固定して簡単に離させないように設けられる。 
【００２１】
図3に示すように、前記操作核心部 (3) は、上筐体 (31)と、下筐体 (32) と電子回路構造 (33)とを備えてなり、前記電子回路構造 (33) は、前記上、下筐体 (31, 32) に挟まれてなる空間に嵌め込められる、タッチスイッチ回路と、LED表示灯 (331)と、マイクロチップ通信モジュールと接続端子 (332)とを備え、タッチ機能、通信機能とインテリジェント操作機能を果たすように設けられ、前記操作核心部 (3) の表面には、一個又は一個以上のタッチスイッチ (34)に分け、かつ必要に応じて変化するように設けられた、種々の形状をした1本以上の線状突出部 (341)があり、本実施形態では、対称した二つのタッチスイッチ (34)に設けられている。複数のタッチスイッチに分けるには、前記線状突出部 (341) 、又は切込み溝、又はスクリーン印刷で行なわれるが、線状突出部、切込み溝又はスクリーン印刷で分けられたタッチスイッチ (34) はいずれも、直線形、カーブ形、幾何図形又はその組み合わせの形に設けられてよく、前記操作核心部 (3) の表面に対向した他面には、電池 (351) を入れるための切込み部 (35) があり、前記操作核心部 (3) 周辺の対向した両側には、制御基部 (4) とを簡単に嵌め合わせるために、異なる形状に対応した留め金 (36) とアンカーポイント (未図示)がある。 
【００２２】
図4〜6に示すように、前記制御基部 (4) は、前記化粧パネル (2) と組み合わせるための表面 (41)と、前記表面 (41) にあり、前記操作核心部 (3)を収納するための収納スロット (42)を備えてなり、前記収納スロット (42) の対向した側縁部には、前記操作核心部 (3) により、ポカヨケ仕切り設計の異なる形状に対応した、ポカヨケアンカーポイント (421) とポカヨケ留め金 (422)が設けられ、前記表面 (41) に対向した他面には台座 (43)を備えてなり、前記制御基部 (4) 内には、リレーと銅端子からなる組合せ構造が設けられ、前記台座 (43) 内には、一列に並ぶ端子台スロット (431)と、前記端子台スロット (431) 内にどれも、銅端子止めリブ (432)があり、配線接続時に生じられる短絡を防ぐために、その四周に全て、プラスチックで隔離させるように囲まれ、前記リレーと銅端子からなる組合せ構造は、リレー (44)と、PC板 (45)と、コネクタ (46)と特殊設計された銅端子 (47) とを備えてなり、前記銅端子 (47) は特殊設計で、前記リレー (44) 周囲沿いに配置され、一端が前記リレー (44) の接点ピンに半だ付けにて接続し、他方端がネジ付きのO形環型構造をした端子台 (48)が設けられ、外部ワイヤを前記環型構造へ挿入、ネジで固定するように設けられ、外部ワイヤを環型構造内へ挿入、ネジで固定するとき、過大なトルクによる銅端子 (47)のゆがみや変形を避けるため、前記銅端子 (47) の先端には、前記端子台スロット (431) 内の銅端子止めリブ (432) とを緊密に嵌め合わせるための位置決め穴 (471)があり、そうすると、ネジを回して締め付けるときに生じられる作用力を止め、外部ワイヤを銅端子 (47) に完全に密着させて取り付けることを確保することができる。 
【００２３】
図7に示すように、上述したユニットの組立ては、前記操作核心部 (3) を前記制御基部 (4) に組み入れるとき、直接に前記制御基部 (4) の表面 (41) にある収納スロット (42) に組み入られ、前記操作核心部 (3) の接続端子 (332) を、それに対応した前記制御基部 (4) のコネクタ (46) に結合させ、電気的に接続し、それから、前記化粧パネル (2) を前記表面 (41) に合せるようにし、前記化粧パネル (2) と前記操作核心部 (3) を張り合わせるように固定して、完全なるタッチ式照明スイッチ (1)に設けられる。 
【００２４】
図8に示すように、本考案の照明スイッチ (1) における制御基部 (40) 背面の接点は、デュアルコントロールスイッチの接点であるイメージを示し、該図面で、伝統的なスイッチと完全に相容れる接点タイプを示す。実施の時、既有壁スイッチを直接にマイクロプロセッサー制御によるスマート照明スイッチに変えられ、特に、壁面用ジャックションボックス102x60x50mm、ネジの取付ピッチ83.5mm (2インチx4インチ)に適用し、電池による電力供給を行い、内蔵の低消費電力設計により、壁スイッチの再配置又は電源に接続するために単線ワイヤを相位角から切断するのが不要となり、既有の伝統的なスイッチに完全に取って代わり用いられ、市販の既有デジタルスイッチの欠点が改善されること、上述したマイクロプロセッサー制御によるスマート照明スイッチは、電池の供給電力で、ラッチングリレーを駆動して、リレーのNO接点、NC接点を使用することで、完全に伝統的な壁スイッチの接点と相容れ、一般の伝統的なスイッチの単極回路又は双極回路に取って代わり用いられる。 
【００２５】
図9に示すように、照明スイッチへの制御は実際使用の時、手でタッチするほかに、スマートデバイス、例えば携帯電話で接続してから、ユーザが内蔵アプリケーションプログラムで表示された機能ブロック図から、実行する機能を選び、又は自動制御タイミングなどを設定し、該スマートデバイスのヒューマンインターフェースの操作により、テクノロジ化によってもたらされた利便性を楽しみながら、インテリジェントホームの操作時代へと入るように設けられる。 
【００２６】
図9 (a) に示すように、例えば、複数の照明スイッチの制御、各部屋 (ROOM X)の設定、又は前記照明スイッチ (1) 数が随時増減することが可能で、相互間に干渉が生じない。 
【００２７】
図9 (b) 〜 (g) に示すように、照明スイッチ (ROOM X) は、それぞれ独立して設定可能なものであり、次のように、図面に示す設定形式、1, 毎日オン/オフ切替のタイミング設定、複数回のオン/オフ、設定されたタイミングによる動作、2, 一週間7日のオン/オフ、毎日同じ設定又は同じでない設定、3, スリープモードの設定、カウントダウン機能の設定、4, 侵入窃盗防犯の設定、ランダムのオン/オフ設定、空き巣などの泥棒侵入防止対策設定、5, 休暇モードの設定、省エネ又は侵入窃盗防犯の設定、 6, 各照明スイッチ名の明確設定、7, 各照明スイッチ独立操作用の暗証番号設定という各種の機能設定が可能となる。 
【００２８】
上述した内容をまとめて分かるように、本考案のスマートな照明スイッチでは、一般的なスイッチのオン/オフ機能を果たすほかに、スマートデバイスに接続して、各種の遠隔設定や操作、例えば、スリープモードの定時消灯、プログラマブルな省エネ定時点灯/消灯、侵入窃盗防犯機能や部屋名の設定、休暇機能の設定などが行なわれること、前記照明スイッチの構造設計では電池内蔵、ハイテックの低消費電力設計により、一般的なデジタル壁スイッチが省エネのLED電球に対応できないという欠点を解決し、伝統的な照明スイッチと全く同じ接点で、既有の伝統的なスイッチやデジタルスイッチに完全に取って代わり用いられ、そのままインテリジェント制御の新時代へと入ること、全体的に完全に隔離するように設計され、感電発生の恐れを防ぎ、部品間にポカヨケの仕組みが設けられ、組立て簡単になること、特に、本考案では、LED表示灯の表示による使用状態や、スマートデバイスの接続状態を示しており、いずれも、インテリジェントホームのハイテク生活を実現し、ハイテクの生活品質を向上させることにつながるものである。 
【００２９】
上述した内容をまとめ、本考案は確実に、予期される使用目的や効果を達成させ、従来のものより理想的かつ実用的なものであり、但し、上述した実施形態は、本考案の好適な実施形態について具体的に説明するのに用いられるのみで、該実施形態を以て、本考案の実用新案登録請求範囲を制限してはならないとし、本考案に掲示された技術範囲から逸脱しない限り、それらの変化や改造を行なったものは全て、本考案の実用新案登録請求範囲に含まれるものとする。 
【符号の説明】
【００３０】
照明スイッチ (1)       化粧パネル (2) 
空きスロット (21)      留め金 (22) 
操作核心部 (3)       上筐体 (31) 
下筐体 (32)       電子回路構造 (33) 
LED表示灯 (331)   接続端子 (332) 
タッチスイッチ (34)     線状突出部 (341) 
切込み部 (35)        電池 (351) 
留め金 (36)        アンカーポイント (37) 
制御基部 (4)       表面 (41) 
収納スロット (42)       ポカヨケアンカーポイント (421) 
ポカヨケ留め金 (422)     台座 (43) 
端子台スロット (431)    銅端子止めリブ (432) 
リレー (44)       PC板 (45) 
コネクタ (46)       銅端子 (47) 
位置決め穴 (471)     端子台 (48) 
【図１】
0003224411.tif 000003
【図２】
0003224411.tif 000004
【図３】
0003224411.tif 000005
【図４】
0003224411.tif 000006
【図５】
0003224411.tif 000007
【図６】
0003224411.tif 000008
【図７】
0003224411.tif 000009
【図８】
0003224411.tif 000010
【図９】
0003224411.tif 000011
【図９（ａ）】
0003224411.tif 000012
【図９（ｂ）】
0003224411.tif 000013
【図９（ｃ）】
0003224411.tif 000014
【図９（ｄ）】
0003224411.tif 000015
【図９（ｅ）】
0003224411.tif 000016
【図９（ｆ）】
0003224411.tif 000017
【図９（ｇ）】
0003224411.tif 000018
【手続補正書】
【提出日】令和1年10月28日(2019.10.28)
【手続補正１】
【補正対象書類名】実用新案登録請求の範囲
【補正対象項目名】請求項４
【補正方法】変更
【補正の内容】
【請求項４】
前記タッチスイッチは、スクリーン印刷、線状突出部又は切込み溝で作られ、どれも、直線形、カーブ形、幾何図形又はその組合せの形をしていることを特徴とする請求項3に記載の完全に伝統的なスイッチに取って代わるリモート制御可能なマイクロプロセッサ制御による照明スイッチ。